(57)【要約】【課題】本発明は、レンズ鏡筒本体と付設部材とを、容易に短時間で、しかも確実に固定的に組み付け得るレンズ鏡筒及び撮像装置の提供を目的とする。【解決手段】本発明のレンズ鏡筒は、外観筒２２を備えたレンズ鏡筒本体１０と、外観筒２２とバヨネット結合された付設部材としてのカバー８とを備える。外観筒２２は、係合部としての突部２５を備えている。カバー８は、撓み可能な係合片８２を備え、又、係合片８２は嵌入凹部８２ａを備えている。そして、バヨネット結合に伴う外観筒２２に対するカバー８の回動に際して係合片８２が撓んだ状態になって、その撓んだ状態から嵌入凹部８２ａに突部２５が嵌り込んで係合片８２が復元して突部２５と係合する。【選択図】図３
2014174183.tif 000002
【特許請求の範囲】
【請求項１】
レンズ鏡筒本体と、
前記レンズ鏡筒本体とバヨネット結合によって軸方向移動不能に結合された付設部材とを備え、
前記レンズ鏡筒本体は、前記付設部材と周方向に移動不能に係合する係合部を備え、
前記付設部材は、撓み可能な係合片を備え、
前記係合片は、前記バヨネット結合に際して前記係合部によって撓まされるとともに、その撓んだ状態から復元して前記係合部と係合するように構成されていることを特徴とするレンズ鏡筒。
【請求項２】
前記付設部材は、筒状の付設部材本体を備え、
前記係合片は、前記付設部材本体の軸方向に撓み得るように、前記付設部材本体から径方向に突出するように形成されていることを特徴とする請求項１記載のレンズ鏡筒。
【請求項３】
前記係合部は、前記レンズ鏡筒本体の軸方向の一端から前記軸方向に突設された突部であり、
前記係合片は、前記突部が嵌り込む嵌入部を備えていることを特徴とする請求項１又は２記載のレンズ鏡筒。
【請求項４】
前記係合部は、前記係合片が嵌り込む嵌入凹部を備えていることを特徴とする請求項１又は２記載のレンズ鏡筒。
【請求項５】
前記レンズ鏡筒本体は、筒体と、前記筒体の軸方向の一端に取付ボルトによって取付けられた取付部材とを備え、
前記筒体は、前記軸方向の一端に、前記取付ボルトと螺合する複数の取付ボルト用ネジ孔を備え、
前記複数の取付ボルト用ネジ孔は、互いに周方向に離間するように配設され、
前記係合部は、前記筒体の軸方向の一端における前記隣接する２つの取付ボルト用ネジ孔の間に、一方の取付ボルト用ネジ孔側に偏るように配設され、
前記係合片は、前記取付ボルトによって固定された前記筒体と取付部材との間に配設されていることを特徴とする請求項１〜４の何れか一項に記載のレンズ鏡筒。
【請求項６】
前記レンズ鏡筒本体は、前記係合部と係合片とを固定する固定ボルトを備え、
前記係合部は、前記固定ボルトと螺合する前記固定ボルト用ネジ孔を備え、
前記係合片は、前記固定ボルトを挿通する固定ボルト挿通孔を備えていることを特徴とする請求項１〜５の何れか一項に記載のレンズ鏡筒。
【請求項７】
請求項１〜６の何れか一項に記載のレンズ鏡筒と、
前記レンズ鏡筒に保持された１又は複数のレンズと、
前記レンズによって結像される被写体の光学像を電気的な信号に変換する撮像素子と、
を備えていることを特徴とする撮像装置。
【発明の詳細な説明】
【技術分野】
【０００１】
本発明は、レンズ鏡筒及び撮像装置に関するものである。
【背景技術】
【０００２】
従来から、バヨネット結合によって２つの部材を結合するようにしたレンズ鏡筒が知られており、例えば特許文献１に開示されている。この特許文献１に開示されたレンズ鏡筒は、嵌合溝を有する第１の保持環と、第１の保持環とバヨネット結合によって結合される嵌合溝を有する第２の保持環と、それらの第１の保持環及び第２の保持環とは、別体からなるストッパーピンとを備える。そして、第１の保持環と第２の保持環とのそれぞれの嵌合溝同士を位置合わせするようにしてそれらをバヨネット結合によって結合し、その後、位置合わせした嵌合溝に、ストッパーピンを圧入するようにしたものである。これにより、第１の保持環と第２の保持環との互いの回動を防止し、第１の保持環と第２の保持環とを確実に固定的に組み付けることができるようにしている。またストッパーピンを圧入する代わりに、接着固定している例もある。
【先行技術文献】
【特許文献】
【０００３】
【特許文献１】特開２０１１−２３７５９５号公報
【発明の概要】
【発明が解決しようとする課題】
【０００４】
しかしながら、特許文献１に開示されたレンズ鏡筒では、第１の保持環と第２の保持環とをバヨネット結合による結合工程を終えた後に、第１の保持環と第２の保持環とのそれぞれの嵌合溝にストッパーピンを圧入する圧入工程を行う必要があり、しかも、圧入する作業が難しく、その結果、第１の保持環と第２の保持環とを組み付け作業に時間を要してしまう。また、分解作業も困難である。
【０００５】
本発明は、レンズ鏡筒本体と付設部材とを、分解容易かつ短時間で、しかも確実に固定的に組み付け得るレンズ鏡筒及び撮像装置の提供を目的とする。
【課題を解決するための手段】
【０００６】
本発明のレンズ鏡筒は、レンズ鏡筒本体と、前記レンズ鏡筒本体とバヨネット結合によって軸方向移動不能に結合された付設部材とを備え、前記レンズ鏡筒本体は、前記付設部材と周方向に移動不能に係合する係合部を備え、前記付設部材は、撓み可能な係合片を備え、前記係合片は、前記バヨネット結合に際して前記係合部によって撓まされるとともに、その撓んだ状態から復元して前記係合部と係合するように構成されていることを特徴とする。
【０００７】
この構成によれば、レンズ鏡筒本体と付設部材とを、バヨネット結合に加えて更に、係合部と係合片とによって周方向移動不能に係合するため、レンズ鏡筒本体と付設部材とを確実に固定的に組み付けできる。
【０００８】
又、係合片は、レンズ鏡筒本体と付設部材とのバヨネット結合の際に、撓んだ状態から復元してその復元した状態で係合部と係合するため、従来のように圧入工程や接着工程を不要にでき、容易に短時間でレンズ鏡筒本体と付設部材とを組み付けることができ、分解作業も容易に行うことができる。
【０００９】
又、係合部と係合片とによって周方向移動不能に係合することにより、レンズ鏡筒本体に対する付設部材の周方向の位置決めを行うことができる。
【００１０】
他の一態様では、前記レンズ鏡筒において、前記付設部材は、筒状の付設部材本体を備え、前記係合片は、前記付設部材本体の軸方向に撓み得るように、前記付設部材本体から径方向に突出するように形成されていることを特徴とする。
【００１１】
この構成によれば、例えば係合片がレンズ鏡筒本体の軸方向の一方側に撓むようにして係合部と係合し、その係合した係合片におけるその軸方向の一方側に、レンズ鏡筒本体の一部が配設されれば、その一部が係合片の押さえ部材となり、係合片がレンズ鏡筒本体の軸方向の一方側に撓み難くでき、係合した係合部と係合解除するおそれの少ないものにできる。したがって、確実に係合した状態に維持できる。
【００１２】
他の一態様では、前記レンズ鏡筒において、前記係合部は、前記レンズ鏡筒本体の軸方向の一端から前記軸方向に突設された突部であり、前記係合片は、前記突部が嵌り込む嵌入部を備えていることを特徴とする。
【００１３】
この構成によれば、係合部と係合片とを確実に周方向移動不能に係合できるとともに、容易に形成できる。
【００１４】
他の一態様では、前記レンズ鏡筒において、前記係合部は、前記係合片が嵌り込む嵌入凹部を備えていることを特徴とする。
【００１５】
この構成によれば、係合部と係合片とを確実に周方向移動不能に係合できるとともに、容易に形成できる。
【００１６】
他の一態様では、前記レンズ鏡筒において、前記レンズ鏡筒本体は、筒体と、前記筒体の軸方向の一端に取付ボルトによって取付けられた取付部材とを備え、前記筒体は、前記軸方向の一端に、前記取付ボルトと螺合する複数の取付ボルト用ネジ孔を備え、前記複数の取付ボルト用ネジ孔は、互いに周方向に離間するように配設され、前記係合部は、前記筒体の軸方向の一端における前記隣接する２つの取付ボルト用ネジ孔の間に、一方の取付ボルト用ネジ孔側に偏るように配設され、前記係合片は、前記取付ボルトによって固定された前記筒体と取付部材との間に配設されていることを特徴とする。
【００１７】
この構成によれば、付設部材は取付ボルトによって固定された筒体と取付部材との間に配設されているため、付設部材の係合片を、筒状体の軸方向の一方側に撓み難くでき、係合した係合部と係合解除するおそれの少ないものにできる。
【００１８】
又、係合部は筒状体の軸方向の一端における隣接する２つの取付ボルト用ネジ孔の間に、一方の取付ボルト用ネジ孔側に偏るように配設されているため、一方の取付ボルト用ネジ孔に螺合された取付ボルトと係合片との距離を短くできる。従って、係合部と係合した係合片を取付部材を介して取付ボルトによって、より一層、撓み難いものにできる。
【００１９】
他の一態様では、前記レンズ鏡筒において、前記レンズ鏡筒本体は、前記係合部と係合片とを固定する固定ボルトを備え、前記係合部は、前記固定ボルトと螺合する前記固定ボルト用ネジ孔を備え、前記係合片は、前記固定ボルトを挿通する固定ボルト挿通孔を備えていることを特徴とする。
【００２０】
この構成によれば、固定ボルトによって、係合部と係合した係合片が撓むおそれのないものにでき、係合部と係合した係合片が係合部から係合解除するおそれのないものにできる。
【００２１】
又、本発明の撮像装置は、請求項１〜５の何れか一項に記載のレンズ鏡筒と、前記レンズ鏡筒に保持された１又は複数のレンズと、前記レンズによって結像される被写体の光学像を電気的な信号に変換する撮像素子と、を備えていることを特徴とする。
【００２２】
この構成によれば、レンズ鏡筒本体と付設部材とを確実に固定的に組み付けできる。又、従来のように圧入工程や接着工程を不要にでき、容易に短時間でレンズ鏡筒本体と付設部材とを組み付けることができ、分解作業も容易に行うことができる。
【００２３】
又、係合部と係合片とによって周方向移動不能に係合することにより、レンズ鏡筒本体に対する付設部材の周方向の位置決めを行うことができる。
【発明の効果】
【００２４】
本発明のレンズ鏡筒及び撮像装置は、レンズ鏡筒本体と付設部材とを、分解容易かつ短時間で、容易に短時間で、しかも確実に固定的に組み付けることができる。
【図面の簡単な説明】
【００２５】
【図１】本発明のレンズ鏡筒の一実施形態の半断面図である。
【図２】図１のレンズ鏡筒に用いられるレンズ鏡筒本体の要部の分解斜視図である。
【図３】図１のレンズ鏡筒に用いられるマウントを省略したレンズ鏡筒の背面図である。
【図４】（ａ）は、図１のレンズ鏡筒に用いられるカムフォロアの斜視図、（ｂ）は、カムフォロアの平面図、（ｃ）は、（ｂ）のＶ−Ｖ線断面図である。
【図５】（ａ）は、カムフォロアが、図１のレンズ鏡筒に用いられるカム筒のカム溝に当接した状態の平面図、（ｂ）は、（ａ）のＶＩ−ＶＩ線断面図である。
【図６】レンズ鏡筒に用いられる外観筒に、レンズ鏡筒に用いられるカバーを組み付ける際の背面図である。
【図７】（ａ）は、外観筒のバヨネット結合部の挿入口に、カバーのバヨネット結合爪を入れる際の模式図、（ｂ）は、（ａ）の状態を異なる方向から表した模式図である。
【図８】カバーのバヨネット結合爪が外観筒のバヨネット結合部の挿入口に入った状態の模式図である。
【図９】（ａ）は、カバーのバヨネット結合爪がバヨネット結合部の挿入口から結合溝に入れる際の模式図、（ｂ）は、（ａ）の状態を異なる方向から表した模式図である。
【図１０】（ａ）は、カバーの係合片が係合した外観筒にマウントを取付けた状態の模式図、（ｂ）は、（ａ）の状態を異なる方向から表した模式図である。
【発明を実施するための形態】
【００２６】
以下、本発明を実施するための形態について、図面を参照しながら詳細に説明する。図１は、本発明のレンズ鏡筒の一実施形態の半断面図、図２は、図１のレンズ鏡筒におけるレンズ鏡筒本体の要部の分解斜視図である。尚、図のＸ方向を前方側（物体側）とし、Ｙ方向を後方側（像側）として説明する。
【００２７】
本発明のレンズ鏡筒１は、図１に示すようにレンズ鏡筒本体１０と、レンズ鏡筒本体１０に付設された付設部材としてのカバー８とを備えている。
【００２８】
レンズ鏡筒本体１０は、図１、図２に示すように固定筒２と、カム筒３と、カムフォロア４と、移動レンズ保持部材５と、カムフォロア付勢部材６とを備えている。
【００２９】
固定筒２は、円筒状のものから構成されており、同一構成を採る３つの案内溝２１を備えている。これらの３つの案内溝２１は、固定筒２の周方向に沿って等間隔に配設されている。
【００３０】
各案内溝２１は、固定筒２の内面から外面に所定幅で貫通するようにして、軸方向（光軸方向）である前後方向に直線状に延されている。
【００３１】
また、この実施形態の固定筒２は、前端側に固定枠を介して固定レンズ７１を固定的に保持している。
【００３２】
また、固定筒２は、その後端側に固定的に取り付けられた外観筒（筒体）２２及びマウント（取付部材）２４とを備えている。
【００３３】
この外観筒２２は、カバー８をバヨネット結合するための同一構成を採る３つのバヨネット結合部２３と、カバー８と周方向に移動不能に係合する１つの突部（係合部）２５と、同一構成を採る３つの取付ボルト用ネジ孔２６とを備えている。
【００３４】
各バヨネット結合部２３は、図３、図７に示すように、結合溝２３ａと、挿入口２３ｂとを備えている。結合溝２３ａは、所定の幅で外観筒２２の周方向に所定の長さで延されるようにして形成されている。
【００３５】
挿入口２３ｂは、結合溝２３ａの周方向の一端側に、外観筒２２の後端面２２ａから結合溝２３ａに連通するように形成されている。
【００３６】
そして、バヨネット結合部２３は、図３に示すように、外観筒２２の周方向に沿って等間隔に配設されている。
【００３７】
突部２５は、この実施形態では、図３、図７に示すように、外観筒２２の後端面２２ａから円筒状に突設されている。又、突部２５は、その内周に、固定ボルト用ネジ孔２５ａを備えている。固定ボルト用ネジ孔２５ａは、突部２５と後述のカバー８の係合片８２とを固定するための固定ボルト２８（図１に図示）と螺合される。
【００３８】
取付ボルト用ネジ孔２６は、外観筒２２にマウント２４を取り付けるための取付ボルト２７と螺合される。
【００３９】
そして、取付ボルト用ネジ孔２６は、外観筒２２の周方向に沿って等間隔に配設されている。
【００４０】
マウント２４は、円筒状のものから構成され、外周から径方向外側に全周にわたって突設された鍔部２４ｃを備えている。鍔部２４ｃは、外観筒２２の取付ボルト用ネジ孔２６に対応する位置に、取付ボルト２７が挿通されるボルト挿通孔２４ａを備えているとともに、突部２５の固定ボルト用ネジ孔２５ａに対応する位置に固定ボルト２８を挿通する固定ボルト挿通孔２４ｂを備えている。
【００４１】
カム筒３は、図１、図２に示すように円筒状のものから構成されており、内面に、同一構成を採る３つのカム溝３１を備えている。これらの３つのカム溝３１は、カム筒３の周方向に沿って等間隔に配設されている。
【００４２】
各カム溝３１は、カム筒３の内面から所定の深さで、展開状態のカム筒３の軸方向に対して角度をなして直線状に形成されており、周方向に距離を持って形成された一対の内側面３１ａを備えている。
【００４３】
一対の内側面３１ａは、図５（ｂ）に示すように、径方向外側に行くに従って漸次幅が狭くなるテーパー部３１ｃをなしている。
【００４４】
カムフォロア４は、各カム溝３１を摺動する同一構成を採る３つからなる。各カムフォロア４は、図４に示すように、一端（先端）から他端にかけて中心を貫くように形成された軸孔４３と、一端側に形成されたテーパー当接部４１と、他端側に形成された案内溝嵌挿部４２とを備えている。
【００４５】
軸孔４３は、後述の移動レンズ保持部材５のカムフォロア保持軸５１が嵌挿された軸嵌挿孔４３ａと、カムフォロア付勢部材６を収納したバネ収納部４３ｂとを備えている。
【００４６】
テーパー当接部４１は、カム溝３１のテーパー部３１ｃと面接し得るように、テーパー部３１ｃにおける所定の長さ領域と同一形状に形成されている。
【００４７】
詳しくは、テーパー当接部４１は、テーパー部３１ｃの一対の内側面３１ａのそれぞれと面接する一対のテーパー面接部４１ａを備えている。
【００４８】
テーパー面接部４１ａは、それぞれ、カムフォロア４の軸心に対して先端に行くに従って漸次距離が短くなる傾斜平面から構成され、一対のテーパー面接部４１ａにより構成されたテーパー当接部４１は、先端に行くに従って漸次距離が短くなるテーパー面をなしている。
【００４９】
案内溝嵌挿部４２は、固定筒２の案内溝２１の幅と略同じ径を有するほぼ断面円形状を呈しており、固定筒２の案内溝２１に移動可能に嵌挿される。
【００５０】
次に、カムフォロア付勢部材６について説明する。カムフォロア付勢部材６は、カムフォロア４を径方向外側に付勢するためのものである。この実施形態のカムフォロア付勢部材６は、図２、図５（ｂ）に示すように、コイルスプリングから構成され、後述の移動レンズ保持部材５のカムフォロア保持軸５１が挿通され、その状態で、カムフォロア４のバネ収納部４３ｂに収納されている。
【００５１】
又、バネ収納部４３ｂに収納されたカムフォロア付勢部材６は、その一端がカムフォロア４のバネ収納部４３ｂの内端面に当接し、他端が後述の移動レンズ保持部材５のカムフォロア保持軸５１に当接している。これにより、カムフォロア付勢部材６は、カムフォロア４をカムフォロア保持軸５１の軸方向であるカム筒３の径方向外側に付勢している。
【００５２】
次に、移動レンズ保持部材５について説明する。移動レンズ保持部材５は、図１に示すように円筒状の保持部材本体５０と、保持部材本体５０に取付けられた同一構成を採る３つのカムフォロア保持軸５１を備えている。
【００５３】
保持部材本体５０は、内周側に移動レンズを保持している。この実施形態では、保持部材本体５０は、図１に示すように固定レンズ７１の後方側に配設された第１移動レンズ７２と、第１移動レンズ７２の後方側に配設された第２移動レンズ７３とを保持している。
【００５４】
詳しくは、保持部材本体５０は、前部側の内周面に、螺旋状の螺旋溝５４を備えている。第１移動レンズ７２は、外周が円筒状の第１移動レンズ保持枠７２ａに保持されている。又、この第１移動レンズ保持枠７２ａは、外周に螺旋突条７２ｂを備えている。
【００５５】
そして、この第１移動レンズ保持枠７２ａは、保持部材本体５０の径方向内側に、保持部材本体５０の螺旋溝５４に移動可能に嵌り込むようにして配設されているとともに、固定筒２の径方向外側に回動自在に配設された駆動環７６ａに、連結片７６ｂ及び連動環７６ｃを介して連結され、駆動環７６ａが回動されることにより、保持部材本体５０に対して回転しつつ光軸方向である前後方向に移動する。
【００５６】
又、この実施形態では、保持部材本体５０における第１移動レンズ７２と第２移動レンズ７３との間に、保持部材本体５０に固定的に取付けられた絞りユニット７４が設けられているとともに、その絞りユニット７４と第１移動レンズ保持枠７２ａとの間に、コイルバネ７５が設けられている。
【００５７】
この実施形態のコイルバネ７５は、絞りユニット７４から第１移動レンズ保持枠７２ａ側に漸次径が小さくなるテーパーコイルバネから構成されている。そして、このコイルバネ７５は、後端が絞りユニット７４に当接し、前端が第１移動レンズ保持枠７２ａに当接しており、常時第１移動レンズ保持枠７２ａを絞りユニット７４、即ち保持部材本体５０に対して前方側に付勢している。これにより、第１移動レンズ保持枠７２ａに保持された第１移動レンズ７２が保持部材本体５０に対して傾きやガタなく円滑に移動できるようになっている。
【００５８】
又、保持部材本体５０は、後部側の内周側に、第２移動レンズ７３を保持する第２移動レンズ保持部５２を備え、この第２移動レンズ保持部５２に、第２移動レンズ７３が第２移動レンズ枠７３ａを介してボルト等によって固定的に保持されている。
【００５９】
又、保持部材本体５０は、カムフォロア保持軸５１を取付けるための同一構成を採る３つの保持軸取付部５３を備えている。これらの保持軸取付部５３は、保持部材本体５０の周方向に沿って等間隔に配設されており、各保持軸取付部５３は、保持部材本体５０の外周面から内周面を貫通するように形成されている。
【００６０】
カムフォロア保持軸５１は、それぞれ、その軸方向の一端側となる先端側に、カムフォロア４を回転可能且つ軸方向移動可能に保持したカムフォロア保持部５１ａを備えている。
【００６１】
そして、カムフォロア保持軸５１は、図１、図２に示すようにその軸方向の他端側が固定筒２の外周側から案内溝２１に入れられるようにして、予め固定筒２の内周側に配置された保持部材本体５０の保持軸取付部５３に嵌挿されるようにして保持されている。
【００６２】
この状態で、カムフォロア保持部５１ａが保持部材本体５０の径方向外側に延ばされて固定筒２の案内溝２１から固定筒２の径方向外側に突出されている。
【００６３】
そして、この状態のカムフォロア保持部５１ａに、カムフォロア付勢部材６が挿入された後、カムフォロア４の軸嵌挿孔４３ａが挿入されている。これにより、カムフォロア付勢部材６がバネ収納部４３ｂに収納されてカムフォロア４の案内溝嵌挿部４２が固定筒２の案内溝２１に嵌挿されるとともに、テーパー当接部４１が固定筒２の案内溝２１から径方向外側に突出した状態になる。
【００６４】
そして、このテーパー当接部４１が、固定筒２の径方向外側に配設されたカム筒３のカム溝３１に入り込んでカム溝３１のテーパー部３１ｃと面接している（図５（ａ）中の網掛け部で示す部分）。
【００６５】
次に、カバー８について説明する。カバー８は、図３、図７に示すように円筒状のカバー本体（付設部材本体）８１と、外観筒２２の突部２５と係合する係合片８２とを備えている。
【００６６】
カバー本体８１は、後端の内周径が外観筒２２の外周径と略同じに形成され、その内周が外観筒２２の後端側の外周に嵌り込み得るように形成されている。又、カバー本体８１は、後端に、外観筒２２のバヨネット結合部２３のそれぞれに対応する位置に、バヨネット結合部２３のそれぞれと係脱自在に結合するバヨネット結合爪８１ａを備えている。
【００６７】
各バヨネット結合爪８１ａは、図７に示すように外観筒２２のバヨネット結合部２３における結合溝２３ａの軸方向の溝幅と略同じで、挿入口２３ｂの周方向の開口幅と略同じになるようにして、カバー本体８１の内周から径方向内側に突出するように形成されている。
【００６８】
係合片８２は、カバー本体８１の内周におけるバヨネット結合爪８１ａよりも後方位置に配設されている。この係合片８２は、板状体から構成されており、カバー本体８１の内周から径方向内側に突出されて、カバー本体８１の軸方向である前後方向に撓み得るように構成されている。
【００６９】
又、この実施形態の係合片８２は、図６に示すようにバヨネット結合爪８１ａが外観筒２２のバヨネット結合部２３における挿入口２３ｂに位置合わせされた状態で、外観筒２２の突部２５の一部と係合片８２の一部とが軸方向に重なる位置に配設されている。
【００７０】
又、係合片８２は、外観筒２２の突部２５が嵌り込む嵌入凹部（嵌入部）８２ａと、固定ボルトが挿通される固定ボルト挿通孔８２ｂとを備えている。
【００７１】
嵌入凹部８２ａは、図６に示すように突部２５の径と略同じ幅で、図７に示すように係合片８２の前面から後方側に凹まされるように形成されている。そして、嵌入凹部８２ａと突部２５との位置が合うと突部２５が嵌入凹部８２ａに嵌り込むようになっている。
【００７２】
固定ボルト挿通孔８２ｂは、突部２５の固定ボルト用ネジ孔２５ａに対応する位置に、係合片８２の前面から後面に貫通するように形成されている。
【００７３】
このように構成されたカバー８は、次のようにしてレンズ鏡筒本体１０に取付けられている。まず、図６、図７に示すように外観筒２２のバヨネット結合部２３の挿入口２３ｂに、カバー８のバヨネット結合爪８１ａを、後方側から位置合わせする。この状態で、外観筒２２の突部２５の一部に係合片８２の一部が後方側から重なる。
【００７４】
次に、図８に示すように、バヨネット結合爪８１ａを挿入口２３ｂから結合溝２３ａに、挿入口２３ｂの奥内端面に当接するまで挿入する。この状態で、係合片８２が突部２５に後方側から当接して後方側に撓まされる。
【００７５】
その後、図９に示すように、カバー８を外観筒２２に対して図のＺ方向に回動する。これにより、係合片８２が後方側に撓んだ状態を維持しながら、図９（ｂ）に示すように、バヨネット結合爪８１ａが結合溝２３ａに沿って周方向に移動する。この状態で、係合片８２が結合溝２３ａに対して軸方向に移動できず、カバー８は外観筒２２に対して軸方向に移動不能状態になる。
【００７６】
更に、カバー８が回動すると、図３に示すように係合片８２の嵌入凹部８２ａに突部２５が嵌り込む。これにより、後方側に撓んでいた係合片８２が復元して突部２５と係合する。又、この係合により、カバー８が外観筒２２に対して周方向の位置決めされる。従って、外観筒２２に対するカバー８の位置決めを容易に行うことができる。
【００７７】
尚、カバー８を外観筒２２から外す場合は、係合片８２を後方に撓ませた状態で、カバー８を上記とは逆方向に回動操作する。これにより、突部２５が係合片８２の嵌入凹部８２ａから出て係合解除して係合片８２が後方側に撓んだ状態になり、バヨネット結合爪８１ａが挿入口２３ｂに合致し、カバー８を外観筒２２から外すことができる。従って、カバー８を外観筒２２から外す場合は、係合片８２を後方に撓ませた状態にしなければならず、振動等を受けた場合でもカバー８と外観筒２２とが確実に係合した状態に維持され、カバー８が外観筒２２から勝手に外れるおそれのないものにできる。
【００７８】
又、係合片８２の固定ボルト挿通孔８２ｂと突部２５の固定ボルト用ネジ孔２５ａとが合致する。
【００７９】
次に、係合片８２を係合した外観筒２２の後端面２２ａに、マウント２４の鍔部２４ｃを後方側から重ね合わせるとともに、鍔部２４ｃのボルト挿通孔２４ａと外観筒２２の取付ボルト用ネジ孔２６とを、マウント２４の鍔部２４ｃの固定ボルト挿通孔２４ｂと係合片８２の固定ボルト挿通孔８２ｂとを、それぞれ、位置合わせするようにして配設する。
【００８０】
そして、取付ボルト２７を、鍔部２４ｃのボルト挿通孔２４ａから外観筒２２の取付ボルト用ネジ孔２６に螺合させる。又、図１０に示すように固定ボルト２８を、鍔部２４ｃの固定ボルト挿通孔２４ｂから、係合片８２の固定ボルト挿通孔８２ｂを挿通させて突部２５の固定ボルト用ネジ孔２５ａに螺合させる。
【００８１】
これにより、外観筒２２にマウント２４を、取付ボルト２７及び固定ボルト２８によって取付けることができる。
【００８２】
又、突部２５に係合した係合片８２は、その後方側に配設されたマウント２４の鍔部２４ｃと当接されているため、後方側へほとんど撓むことができない状態になっている。従って、係合片８２は、突部２５との係合が外れるおそれの少ないものにできる。
【００８３】
又、この実施形態では、固定ボルト２８が鍔部２４ｃの固定ボルト挿通孔２４ｂから、係合片８２の固定ボルト挿通孔８２ｂを挿通して突部２５の固定ボルト用ネジ孔２５ａに螺合されている。これにより、突部２５に係合した係合片８２は、マウント２４の鍔部２４ｃによって、より一層、後方側へ撓むことができない状態になっている。従って、係合片８２は、突部２５から、より一層、外れるおそれの少ないものになっている。
【００８４】
以上のように構成されたレンズ鏡筒１は、レンズ７１〜７３によって結像される光学像を電気的な信号に変換する撮像素子９（図１に図示）を有する撮像装置本体に、マウント２４が取り付けられることにより撮像装置本体に装着されて使用される。
【００８５】
そして、図１に示すように、外観筒２２の外周側に回動自在に配設された図示しない操作環が回動操作されることにより、その操作環に回転伝達可能に連結されたカム筒３が回動する。
【００８６】
このカム筒３の回動に伴って、カムフォロア４がカム溝３１を摺動する。又、その摺動に際して、カムフォロア４の案内溝嵌挿部４２が固定筒２の案内溝２１に沿って光軸方向である前後方向に移動する。これにより、カムフォロア４を保持した移動レンズ保持部材５に保持された移動レンズ７２、７３が前後方向に移動する。
【００８７】
尚、上記実施形態では、カバー８の係合片８２は嵌入凹部８２ａを備えたものとされているが、この形態のものに限らず、適宜変更できる。例えば外観筒２２は、２つの突部２５を備えたものとし、それらの突部２５同士間に、係合片８２が嵌り込む嵌入凹部を形成するようにしてもよい。
【００８８】
又、上記実施形態では、カバー８の係合片８２は、カバー８のバヨネット結合爪８１ａを外観筒２２の挿入口２３ｂに挿入するに際して、突部２５に当接して後方側に押圧されて撓み、カバー８の外観筒２２に対する回動に伴ってその撓んだ係合片８２が外観筒２２の嵌入凹部に入り込んで復元し係合するようになっているが、この形態のものに限らず、適宜変更できる。
【００８９】
例えばカバー８の係合片８２は、カバー８の外観筒２２に対する回動に伴って突部２５に周方向の一方向側から当接して撓むことによって突部２５を乗り超えて復元し係合するようにしてもよい。
【００９０】
又、上記実施形態では、係合片８２と突部２５とは、マウント２４の鍔部２４ｃを介して固定ボルト２８によって間接的に固定されているが、この形態のものに限らず、例えば係合片８２と突部２５とは、固定ボルト２８によって直接的に固定されてもよい。
【００９１】
又、固定ボルト２８による固定を省略してもよい。その場合でも、突部２５に係合した係合片８２は、その後方側に配設されたマウント２４の鍔部２４ｃと当接されているため、後方側へほとんど撓むことができない状態にできる。ただし、そのように固定ボルト２８による固定を省略する場合、突部２５の位置を、上記実施形態のように外観筒２２における隣接する２つの取付ボルト用ネジ孔２６の間における中央でも良いが、一方の取付ボルト用ネジ孔２６側に偏るように配設すれば、突部２５に係合した係合片８２がマウント２４の鍔部２４ｃによって撓み難いものにでき、その点で好ましい。
【００９２】
又、上記実施形態では、突部、係合片が１組であるが、ビス締結を行わない場合などは、複数組みあることが好ましい。この場合、各組を周方向に離して配置することが好ましい。
【符号の説明】
【００９３】
１    レンズ鏡筒
２    固定筒
３    カム筒
４    カムフォロア
５    移動レンズ保持部材
６    カムフォロア付勢部材
８    カバー（付設部材）
１０    レンズ鏡筒本体
２１    案内溝
２２    外観筒（筒体）
２３    バヨネット結合部
２４    マウント（取付部材）
２５    突部（係合部）
３１    カム溝
３１ｃ    テーパー部
４１    テーパー当接部
４１ａ    テーパー面接部
８１ａ    バヨネット結合爪
８２    係合片
【図１】
2014174183.tif 000003
【図２】
2014174183.tif 000004
【図３】
2014174183.tif 000005
【図４】
2014174183.tif 000006
【図５】
2014174183.tif 000007
【図６】
2014174183.tif 000008
【図７】
2014174183.tif 000009
【図８】
2014174183.tif 000010
【図９】
2014174183.tif 000011
【図１０】
2014174183.tif 000012